(57)【要約】  【課題】  非力な高齢者等でも長い移動ストロークを有するスライド式の上蓋の開放操作を楽に行えるようにする。  【解決手段】  外箱の上面に形成された洗濯物投入口を開閉する上蓋２が閉塞位置にあるときには、蓋体２０の裏面に立設された係合ピン２３が外箱側に張設されたばね３１に接触してこれを前方に引張る。そのため、蓋体２０はばね３１の付勢力で後向きに力を付与されており、使用者が蓋開ボタンを押しラッチ／ロック機構による上蓋２のラッチが外れると上蓋２は自発的にスライドし始める。そして、或る程度、上蓋２が開いてばね３１の付勢力が減じてくると、蓋体２０内部の２箇所に分けて設けた重錘２１、２２が共に下垂範囲Ｌに入るため、重錘２１、２２に作用する重力によって上蓋２はさらに後向きにスライドして円滑に開放する。【選択図】  図７
2005348923.tif 000002
【特許請求の範囲】
【請求項１】
外箱の上面に形成された洗濯物投入用の開口を開閉するために、屈曲自在の蓋体の一縁端が下垂され、その下垂縁端が上下方向に移動するのに伴い該蓋体が前記開口を閉塞する位置と開放する位置との間でスライド移動する構造の上蓋を具備する洗濯機において、
前記蓋体が前記開口を閉塞した状態を保持するための保持手段と、
該保持手段による蓋体の保持が解除されたときに、該蓋体のスライド移動の始動を行う又は始動を補助するべく該蓋体を開放方向に付勢する弾性手段と、
を備えることを特徴とする洗濯機。
【請求項２】
前記弾性手段は前記上蓋の開閉方向に直交又は斜交するように張設されたコイルばねであり、該上蓋は少なくとも閉塞状態では前記コイルばねに接触してこれを引張る突部を有することを特徴とする請求項１に記載の洗濯機。
【請求項３】
前記弾性手段は前記上蓋の下垂した縁端部を略鉛直下方に引張るばねであることを特徴とする請求項１に記載の洗濯機。
【請求項４】
前記上蓋が開放する過程で全開状態となる前に、該上蓋の一部に接触する衝撃緩和手段を備えることを特徴とする請求項１〜３のいずれかに記載の洗濯機。
【請求項５】
前記上蓋は、前記蓋体にあって開閉方向に離れた２箇所以上の位置にそれぞれ重錘を有することを特徴とする請求項１又は２に記載の洗濯機。
【請求項６】
前記複数の重錘の全てではない少なくとも１個は、前記上蓋が前記開口を閉塞した状態にあるときに下垂した範囲内に設置されて成ることを特徴とする請求項５に記載の洗濯機。
【請求項７】
前記複数の重錘の少なくとも１個は、前記上蓋が前記開口を閉塞した状態にあるときに下垂していない範囲内に設置されて成ることを特徴とする請求項６に記載の洗濯機。
【請求項８】
前記弾性手段による付勢力によって上蓋が開放し始めてからその移動が停止するまでの期間中において、その開放速度の変化が小さくなるように前記複数の重錘の取り付け位置が決められていることを特徴とする請求項７に記載の洗濯機。
【請求項９】
前記ばねの周囲を取り囲んで、前記上蓋が開放して該ばねの引張力が失われたときにその倒伏を防止する姿勢保持部を設けたことを特徴とする請求項３に記載の洗濯機。
【請求項１０】
前記姿勢保持部及び前記ばねに近接する外箱の立壁内面であって該ばねの伸縮に伴って該ばねが接触し得る範囲に、シート状の緩衝部材を設けたことを特徴とする請求項１０に記載の洗濯機。
【請求項１１】
前記上蓋は、屈曲自在である蓋本体部と、該蓋本体部の上面を被覆するように設けられた化粧シート部材とを含み、前記ばねはその化粧シート部材の下垂端を引張るようにしたことを特徴とする 請求項３、９又は１０のいずれかに記載の洗濯機。
【発明の詳細な説明】
【技術分野】
【０００１】
本発明は洗濯機に関し、更に詳しくは、洗濯物を出し入れするために外箱の上面に設けられた開口を開閉する上蓋の構造に関する。
【背景技術】
【０００２】
一般の多くの渦巻き式洗濯機では、外箱の上面に使用者が洗濯槽内に洗濯物を出し入れするための開口が形成されており、その開口を開閉する上蓋が水平軸を中心に回動自在に設けられている。一方、ドラム式洗濯機では、従来、外箱の前面に横開き式のドアが設置された構造が主流であったが、近年、渦巻き式洗濯機と同様に、洗濯物投入用の開口を外箱の上面に設けたものが開発・商品化されている（特許文献１、非特許文献１、２など）。こうした蓋構造を持つドラム式洗濯機は、外箱前面にドアを設けた従来のドラム式洗濯機と区別するために、例えばトップオープン方式のドラム式洗濯機と呼ばれる。
【０００３】
こうしたドラム式洗濯機では、上蓋の開閉構造として大別して、二つ折り自在の上蓋を起立・倒伏可能とした回動式のもの（例えば特許文献１など参照）と、開放時に上蓋が外箱の内部に隠れるように移動可能なスライド式のもの（例えば非特許文献１、２など参照）とがある。後者のスライド式蓋構造は前者の回動式蓋構造よりも構造が複雑であるためコストが高くなることは避けられないが、上蓋の開放時に上蓋が使用者の作業の邪魔にならず手前に倒れ込んでくるおそれがない、開放した上蓋が水道栓（水道蛇口）に接触するおそれがなく洗濯機の設置場所の自由度が大きい、上蓋の開閉時の操作感が優れている、意匠性が高い、といった利点がある。
【０００４】
さらにスライド式蓋構造においては、１枚の蓋体を後方にスライド移動させるものと、非特許文献２に記載のように前後方向に２枚に分割されたうちの前方側の蓋体を前方に、後方側の蓋体を後方にスライド移動させるものとがある。後者の構造では２枚の蓋体を連動して開閉させる機構が必要になるため、前者よりもその構造が複雑になり、その分だけ故障が発生し易くなる。これに対し、前者は構造がスライド式としては比較的簡単であって、高い信頼性を確保することができる。また、ドラムの手前側にスライドして来た上蓋が存在しないので、洗濯物投入開口の手前側が広くなり、洗濯物の出し入れが容易であるという利点もある。
【０００５】
しかしながら、こうした１枚の蓋体をスライド移動させる上蓋構造では、上蓋をスライド移動させるためのストローク（動作距離）が必然的に長くなる。そのため、スライド式の上蓋を開放する際に、上部手前に設けられた把手を使用者が把持し力を加えて奥まで押す必要があり、例えば使用者が洗濯物を両手に抱えているような場合には上蓋を開けにくいという問題があった。また、高齢者などの比較的非力な使用者には、上蓋を開ける操作が負担である場合もあった。
【０００６】
【特許文献１】特開２００３−２３０７９５号公報（[0030]及び図２）
【非特許文献１】“ドラム式洗濯乾燥機 AWD-B860Z(S)”、[online]、三洋電機株式会社、［平成１６年４月３０日検索］、インターネット、<URL : http://www.e-life-sanyo.com/detail.php?dai=05&chu=01&sho=01&data=000000045&order=0&kan=0&page=1&sort>
【非特許文献２】“東芝ホームランドリー（家庭用）取扱説明書  型名TW-80TA”、「スライドドア・内ふたの開閉について」、［online］、株式会社東芝、［平成１６年４月３０日検索］、インターネット、<URL : http://www.toshiba-living.jp/pdf/m/008039.pdf>
【発明の開示】
【発明が解決しようとする課題】
【０００７】
本発明は上記のような課題を解決するために成されたものであり、その主な目的は、特に上述したように開閉操作のストロークが長いスライド式の上蓋について、開閉操作を容易に行うことができる使い勝手の良好な洗濯機を提供することにある。
【課題を解決するための手段】
【０００８】
上記課題を解決するために成された本発明は、外箱の上面に形成された洗濯物投入用の開口を開閉するために、屈曲自在の蓋体の一縁端が下垂され、その下垂縁端が上下方向に移動するに伴い該蓋体が前記開口を閉塞する位置と開放する位置との間でスライド移動する構造の上蓋を具備する洗濯機において、
前記蓋体が前記開口を閉塞した状態を保持するための保持手段と、
該保持手段による蓋体の保持が解除されたときに、該蓋体のスライド移動の始動を行う又は始動を補助するべく該蓋体を開放方向に付勢する弾性手段と、
を備えることを特徴としている。
【０００９】
ここで弾性手段としては、伸張コイルばね、圧縮コイルばね、板ばね等のばねが最も一般的であるが、ゴム、スポンジ等の弾性力を利用するものでもよい。
【００１０】
本発明に係る洗濯機では、上蓋の蓋体が洗濯物投入用開口を閉塞する位置にあるときに該蓋体は弾性手段により開放方向に付勢力が付与されているが、保持手段の保持力によって蓋体は上記付勢力に抗して閉塞状態を維持する。そして例えば使用者のボタン操作等によって保持手段による保持動作が解除されると、弾性手段による付勢力によって又はその付勢力の補助を受けて蓋体はスライド移動し始める。
【００１１】
或る程度、上蓋が開放するとその分だけ蓋体の下垂範囲が長くなるから、それ以降は、蓋体自体の重量や或いは後述するように付加された重錘の重量によって開放方向へのスライド移動は促進される。そのため、このようなときに弾性手段による付勢力が作用し続けると、蓋体のスライド移動速度が速くなり過ぎて全開時の衝撃が大きくなり過ぎるおそれがある。また、上蓋を閉鎖する際の操作を手動で行うことを考えると、閉鎖時に蓋体の重量のみならず弾性手段の付勢力にも抗する力を要することになる。そこで、上記弾性手段による付勢力は開放動作の途中まで作用するようにし、蓋体が或る程度移動した以降は、上記付勢力が作用しないようにすることが好ましい。すなわち、上蓋の開放動作の前半には上記弾性手段による付勢力が必ず作用するようにし、上蓋の開放動作の後半にはその付勢力が作用しないようにして蓋体の重量等によってのみ開放動作を行うようにする。
【００１２】
これにより、上蓋閉鎖時に摩擦力等によって蓋体が自発的には動き始めにくい場合でも、蓋体を円滑に開放させ始めることができる。また、上蓋の開閉のストロークが長い場合であっても、円滑に上蓋を開放させることができる。さらにまた、弾性手段による付勢力を開放動作の前半にのみ作用させることよって、蓋体の移動速度が過剰に大きくなることを防止することができるとともに、上蓋を手動で閉鎖する際の使用者の負荷を軽減することができる。
【００１３】
本発明に係る洗濯機において、前記弾性手段及び該弾性手段により上蓋に付勢力を付与する部分の構造としては各種のものが考えられるが、一態様として、前記弾性手段は上蓋の開閉方向に直交又は斜交するように張設されたコイルばねであり、前記上蓋は少なくとも閉塞状態では前記コイルばねに接触してこれを引張る突部を有する構成とすることができる。
【００１４】
この構成では、上蓋が全開した状態では突部はコイルばねに接触せず、該ばねによる付勢力は作用していない。そして、上蓋を或る程度以上に閉じた状態になると、突部がコイルばねに引っ掛かってこれを引張ることで、ばねが収縮しようとする付勢力を受ける。これによれば、構成が簡単でありながら、上蓋が閉塞状態であるときに確実に開放方向に付勢力を与えることができる。また、或る程度以上、上蓋が開放したときに付勢力が作用しない状態とすることも容易に実現できる。
【００１５】
また、本発明に係る洗濯機では、前記上蓋が開放する過程で全開状態となる前に、該上蓋の一部に接触する衝撃緩和手段を備える構成とすることが好ましい。この衝撃緩和手段としては、例えばエアダンパやばね式ダンパなどを用いることができる。また、こうしたダンパに接触する上蓋の一部としては、蓋体の裏面に突設したリブとすることができる。
【００１６】
この構成によれば、上蓋が開放する際に或る程度勢いが付いても、全開状態となる前に衝撃緩和手段に接触してその勢いが殺がれるので、上蓋の開放時のストッパとして機能する例えば把手が外箱の一部である外装板等に当接する衝撃を和らげ、大きな衝撃音を発することを防止することができる。
【００１７】
また、本発明に係る洗濯機において、前記上蓋は、前記蓋体にあって開閉方向に離れた２箇所以上の位置に重錘を有する構成とすることができる。
【００１８】
この構成では、上記弾性手段による付勢力によって上蓋が開放方向に移動し始めた後に、或る程度、上蓋が開放すると、その付勢力が無くなっても重錘の自重によって上蓋の開放が促進される。それによって、開放し始めた上蓋はそのまま全開位置まで円滑に開放し続ける。
【００１９】
またこの構成では、好ましくは、複数の重錘の全てではない少なくとも１個は、前記上蓋が開口を閉塞した状態にあるときに下垂した範囲内に設置された構成とするとよい。
【００２０】
これによって、弾性部材による付勢力の作用によって蓋体がスライド移動し始めた初期段階から、重錘による自重を一部利用して円滑に上蓋を開放させることができ、弾性手段の弾性力を過剰に大きくする必要がない。
【００２１】
逆に、蓋体が開放し始める際の弾性手段の弾性力が過剰に大きすぎると、また重錘の重量が大き過ぎると、蓋体の開放速度が速すぎるおそれがある。そこで、本発明に係る洗濯機において、前記複数の重錘の少なくとも１個は、前記上蓋が前記開口を閉塞した状態にあるときに下垂していない範囲内に設置された構成とするとよい。
【００２２】
上蓋が閉塞状態にあるときに蓋体の下垂していない範囲内に設置された重錘は、蓋体のスライド移動の始動時には蓋体に対して開放方向に殆ど又は何ら力を及ぼさず、蓋体が或る程度移動して上記重錘が下垂範囲に入ると蓋体を開放させる方向に大きな力を及ぼすようになる。したがって、この構成によれば、上蓋が開き始めるときには複数の重錘のうちの一部が弾性手段による付勢力と併せて開放方向に作用し、或る程度、上蓋が開いた後には複数の重錘の全てが開放方向に作用する。
【００２３】
それによって、上蓋が開き始めるときの開放速度を適度に抑えるととともに、上蓋が或る程度開いて弾性手段による付勢力が無くなったときにも、そのまま円滑に上蓋を開くようにすることができる。また、逆に上蓋を閉鎖する際には、弾性手段による付勢力が作用する程度まで上蓋を閉じると、その後、弾性手段による付勢力に抗して上蓋を閉める際には重錘による開放方向への作用力は減じるので、使用者が上蓋を閉める操作力も小さくて済む。
【００２４】
上蓋の開放速度は、弾性手段の弾性力、重錘の重量や取り付け位置、上蓋の開閉時の摩擦力などに依存するが、弾性手段の弾性力や上蓋の開閉時の摩擦力などの諸条件が決まった下では、複数設けた重錘の取り付け位置によって開放速度を適度に調整することができる。したがって、本発明に係る洗濯機では、前記弾性手段による付勢力によって上蓋が開放し始めてからその移動が停止するまでの期間中において、その開放速度の変化が小さくなるように前記複数の重錘の取り付け位置が決められている構成とすることが好ましい。
【００２５】
使用者にとっての操作感の点では、最良なのは開放速度が略一定であることであるが、それが達成できない場合でも、上蓋が自発的に開放する際の開放速度の変化をできるだけ小さくすることにより、使用上での操作感を良好にすることができる。また、蓋体の開放に伴う加速を抑えることによって、上述したように全開状態になる際の衝撃も小さくて済む。
【００２６】
また、本発明に係る洗濯機の他の態様として、前記弾性手段は前記上蓋の下垂した縁端部を略鉛直下方に引張るばねである構成とすることができる。
【００２７】
具体的には例えば、上蓋の下垂した縁端部と外箱の一部を成す脚台との間にコイルばねを含む付勢部材を取り付けることで上蓋を略鉛直下方に引張るようにし、例えば使用者のボタン操作等によって保持手段による保持動作が解除されたときに、上記付勢部材の引張力によって上蓋が開放方向にスライド移動し始めるようにすることができる。この構成では、上蓋が開放し始める時点で引張力は最大であり、上蓋が開放するに伴いコイルばねが収縮して引張力が減じてくる。上述したように、或る程度上蓋が開放するとその分だけ蓋体の下垂範囲が長くなって蓋体自体の重量等による開放方向への付勢力が生じるから、ばねによる引張力は上蓋が或る程度まで開放した状態となるまで作用し続けるように定めておけばよい。例えばばねと上蓋とをワイヤで連結する構成とすれば、そのワイヤの長さを適宜調整することにより、ばねの引張力が作用しなくなって上蓋の自重で上蓋が開放する位置を調整することができ、それによって上蓋の開放速度を調節することができる。
【００２８】
また、上記他の態様の構成において、好ましくは、前記ばねの周囲を取り囲んで、前記上蓋が開放して該ばねの引張力が失われたときにその倒伏を防止する姿勢保持部を設けた構成とするとよい。この構成によれば、ばねが倒れ込まないので、ばねに近接して設けられた他の部位にばねが接触することを防止でき、動作の不具合や破損などによる故障を避けることができる。
【００２９】
また、上記ばねにあって姿勢保持部で保持されていない部分は伸縮に伴って屈曲したり移動したりするし、当然、姿勢保持部には接触する。そこで、前記姿勢保持部及び前記ばねに近接する外箱の立壁内面であって該ばねの伸縮に伴って該ばねが接触し得る範囲に、シート状の緩衝部材を設けた構成とするとよい。この緩衝部材が在ることによって、ばねが姿勢保持部や外箱の立壁内面に接触しても大きな接触音や摩擦音が発生せず、高い静粛性を達成することができる。
【００３０】
さらにまた上記他の態様の構成において、前記上蓋は、屈曲自在である蓋本体部と、該蓋本体部の上面を被覆するように設けられた化粧シート部材とを含み、前記ばねはその化粧シート部材の下垂端を引張る構成とするとよい。化粧シート部材を引張ることによって化粧シート部材に張力が与えられるので、上蓋のスライド開閉時に化粧シート部材の波立つような動きが抑制され、開閉に要する力が軽減される。その結果、上蓋のスライド開閉がスムーズに行える。また、一般に、蓋本体部は屈曲性を高めるために軟質性の樹脂から形成され、こうした樹脂は耐熱温度が低い。そのため、引張力が掛かった状態で例えば乾燥運転時などに温度上昇が生じると、熱変形を起こす可能性がある。それに対し、化粧シート部材はより高い耐熱温度を有する樹脂から形成することができるので、ばねによる引張力が加わった状態で温度が上昇しても、熱変形のおそれがないという利点がある。
【発明の効果】
【００３１】
本発明に係る洗濯機によれば、例えば操作ボタンを押す等の簡単な操作で以て上蓋が自発的に開放するので、使用者が洗濯物等を持っている場合や使用者が高齢者等の非力な者であっても無理なく上蓋を開けることができ、操作性が非常に高い。特に、上蓋の開閉操作のストロークが長い場合においても、使用者に無用な負担を掛けることなく上蓋を開放させることができる。
【発明を実施するための最良の形態】
【００３２】
以下、本発明に係る洗濯機の一実施例（第１実施例）であるドラム式洗濯機について図１〜図１２を参照して説明する。
【００３３】
図１は第１実施例のドラム式洗濯機の外観正面図、図２は第１実施例のドラム式洗濯機の外観右側面図、図３は第１実施例のドラム式洗濯機の上部の外観斜視図である。
【００３４】
このドラム式洗濯機において、外箱１は上面板１ａ、前面板１ｂ、両側の側面板１ｃ、後面板１ｄなどから構成され、上面板１ａは前下がり湾曲形状に形成されており、この上面板１ａに大きな洗濯物投入口４が形成されている。この洗濯物投入口４を開閉するための上蓋２は、後述するように前後方向にスライド移動自在である。図示しないものの、外箱１の内部には洗濯時に水を貯留するための外槽がダンパ及びばねにより揺動自在に配設されており、さらにその外槽の内側には周面円筒形状のドラム１０が左右方向に略水平に延伸する軸を中心に回転自在に設けられている。この外槽及びドラム１０はそれぞれ洗濯物投入口４に対応した位置に開口を有し、それら開口を閉鎖するために内蓋１２及びドラム蓋がそれぞれ設けられている。図２は上蓋２を全開にして、さらに内蓋１２を全開にした状態を示している。
【００３５】
外箱１の上面にあって上蓋２の右側には、前後方向に延伸して複数の操作キーや表示器が設けられた操作パネル５が配置されている。なお、比較的使用頻度の低い操作キーの一部は、後方側に起立自在の上蓋で覆われている。上蓋２を挟んで操作パネル５と反対側の左方後方には、横開き式の蓋体で覆われた洗剤容器６が設けられている。さらに、洗濯物投入口４後方の上面板１ａの上に装着される上面後部カバー１ｅにあっては、外部の給水栓等にホースを介して接続される水道水給水口７が洗剤容器６の後方に設けられ、別のホースを介して風呂の浴槽内等に接続される風呂水給水口８が操作パネル５の後方に設けられている。
【００３６】
本実施例のドラム式洗濯機は、スライド式である上蓋２の開閉構造に大きな特徴を有している。以下、その特徴的な上蓋の構造について、図１〜図３に加えて図４〜図１２を参照して詳述する。
【００３７】
図４は本実施例のドラム式洗濯機において上面後部カバー１ｅや上蓋２などを取り外した状態の要部の上面図、図５及び図６は閉鎖時及び開放時の上蓋２の状態を示す要部の斜視図、図７及び図８は同じく閉鎖時及び開放時の上蓋の状態を示す要部の側面断面図、図９は上蓋２の前縁端部の外観斜視図、図１０〜図１２は上蓋２の開放を阻止するラッチ／ロック機構の内部構成とその動作を示す斜視図である。
【００３８】
図５〜図８に示すように、上蓋２の主要な構成部材である蓋体２０は左右方向に細長い短冊状でプラスチック製のスラットを多数連結させた構成を有し、そのスラットの連結方向に屈曲自在となっている。この上蓋２は、上面板１ａにあって洗濯物投入口４の左右両縁部に形成された緩やかな湾曲形状の案内レール３４と、その後方にあって両側から延設された湾曲形状の下垂ガイド３５とに沿って、図５及び図７に示すように洗濯物投入口４を完全に閉塞する位置（以下、閉塞位置という）と、図６及び図８に示すように洗濯物投入口４を完全に開放し且つ蓋体２０の後縁端が所定高さまで下垂したような位置（以下、全開位置という）との間で移動可能となっている。下垂した蓋体２０は外槽後面と上記後面板１ｄとの間の間隙に収容される。
【００３９】
この上蓋２が閉塞位置から全開位置に至るまでの開放動作を自動で行うために、大別して２つの手段、すなわち本発明における弾性手段と重錘とが利用されている。重錘は第１及び第２なる２個の重錘２１、２２であり、いずれも鉄製でスラットの幅サイズとほぼ同一長さの細長い棒状体である。蓋体２０を構成する各スラットは中空形状であるが、上記重錘はその中空部に挿入可能な径となっており、また全てのスラットは上記重錘が挿入されたときに該重錘を保持可能な保持部を有している。それによって、任意の位置のスラットの内部に重錘を取り付けることが可能であり、重錘の位置や数を適宜に調整可能である。ここでは、蓋体２０の最後端のスラットの内部に第１重錘２１を設け、それよりも所定距離前方に離れた位置のスラットの内部に第２重錘２２を設けている。なお、スラットとは別体の重錘を取り付けるのではなく、例えばスラット自体の材料を変更することによってスラットの重量を変え、所定位置のスラットを重くして重錘を装着したのと同様の効果を持たせてもよい。
【００４０】
図７に明らかなように、上蓋２が閉塞位置にあるときでも蓋体２０の最後端から３乃至４枚のスラットは下垂範囲Ｌに含まれており、第１重錘２１に作用する重力は上蓋２を開放させる方向に作用している。一方、このときに第２重錘２２は下垂範囲Ｌには入っておらず、第２重錘２２に作用する重力は上蓋２を開放する力としては殆ど寄与していない。また、上蓋２を構成するスラットのうちの半分程度は前下がりの範囲に位置しており、これらスラット自体の重量に作用する重力はそれほど大きなものではないものの上蓋２を前に移動させるように作用し、さらにまた、上蓋２と案内レール３４等との接触部分の摩擦もある。そのため、上蓋２が閉塞位置にあるときには、蓋体２０、重錘２１、２２を含めた上蓋２の自重によっては上蓋２は自発的には開放方向に移動しない。
【００４１】
そこで、上蓋２が閉塞位置から開き始める（始動の）際の、いわば起動力を付与するために弾性手段が機能する。すなわち、図４に示すように、上面板１ａの上であって上面後部カバー１ｅに被覆され且つ上蓋２の下方となる位置には、左右一対に設けられたばね固定部３０の間にコイルばね３１が張設されている。一方、蓋体２０の裏面の所定位置、つまり全体としては後部側で左右方向には略中央に係合ピン２３が立設されている。上蓋２が全開位置にあるときには係合ピン２３は下垂範囲Ｌに存在するため、コイルばね３１は係合ピン２３から何ら力を受けず、図４中に符号３１Ａで示すように左右方向に略一直線状になっている。
【００４２】
この状態から蓋体２０が前方にスライド移動して洗濯物投入口４の大半が閉塞された状態に至ると、係合ピン２３は後方からコイルばね３１に接触し、蓋体２０がさらに前方にスライド移動されると、係合ピン２３はコイルばね３１の略中央を手前に引張りながらコイルばね３１を屈曲させる。そして、上蓋２が閉塞位置に達したとき、コイルばね３１の形状は図４中に符号３１Ｂで示すように略二等片三角形状となる。この状態ではコイルばね３１が収縮しようとする付勢力が係合ピン２３を介して蓋体２０に作用し、蓋体２０は後方側つまり開放方向にスライド移動するように力を受ける。このときの付勢力は、上述したような重錘２１、２２を含めた上蓋２の自重や摩擦力によって上蓋２がその位置（閉塞位置）にとどまろうとする力よりも大きい。したがって、上蓋２が閉塞位置に在って後述するラッチ／ロック機構による上蓋２のラッチが解除されたときには、コイルばね３１の付勢力によって上蓋２は自ら開放方向にスライド移動し始めることになる。
【００４３】
上記のようにコイルばね３１の付勢力によって、或る程度、上蓋２が開放すると係合ピン２３はコイルばね３１から離れるためコイルばね３１による付勢力は無くなるが、それ以前に付与された付勢力によって上蓋２はさらに開放方向に移動し得る。さらに、上蓋２が上述のようにコイルばね３１による付勢力が無くなる位置近傍まで来ると、ちょうど第２重錘２２が下垂範囲Ｌに達する。そのため、第１重錘２１に加えて第２重錘２２に作用する重力も上蓋２を開放させる方向に働くので、ばね３１による付勢力が無くなっても今度は重錘２１、２２を含む上蓋２の自重によって上蓋２は円滑に開放し続ける。
【００４４】
上記説明から明らかなように、上蓋２が開放し始める時点では主としてコイルばね３１による付勢力と第１重錘２１を含めた下垂範囲Ｌの自重とが上蓋２を開放する力として作用し、上蓋２が或る程度開放した後は第１及び第２重錘２１、２２を含めた下垂範囲Ｌの自重が上蓋２を開放する力として作用する。したがって、コイルばね３１の付勢力の大きさ、その付勢力が作用し得る上蓋２の移動範囲、第２重錘２２の位置及び重量、第１、第２重錘２１、２２以外の上蓋２の自重、案内レール３４や下垂ガイド３５と蓋体２０との摩擦、など各種の要素を総合的に考慮することによって、上蓋２が開放する際の加速度を適度に調節し、スライド移動のほぼ全範囲に亘って開放速度の変化を小さく抑えることができる。
【００４５】
上蓋２の全開位置は上蓋２の前縁端上部に設けられた把手３が上面後部カバー１ｅの前縁部に当接する位置であるが、上記のように或る程度勢いを以て上蓋２が開放すると把手３が上面後部カバー１ｅの前縁部に勢いよく当たって大きな衝撃音を発してしまう。そこで、こうしたことを防止するために、図４に示すように、洗濯物投入口４の後方の左側にエアダンパ３２を、右側にばね式ダンパ３３をそれぞれ本発明における衝撃緩和手段として設置するとともに、蓋体２０の裏面前縁端で上記エアダンパ３２及びばね式ダンパ３３に対応する位置に左右一対の当接リブ２４を突設している。
【００４６】
上蓋２が自発的に開放する際、把手３が上面後部カバー１ｅの前縁部に当接する少し手前で、両当接リブ２４はエアダンパ３２及びばね式ダンパ３３にそれぞれ接触し、それによって上蓋２の開放速度は急速に低下する。そのように速度が大きく低下した状態で把手３は上面後部カバー１ｅの前縁部に当接するから、大きな衝撃音が発生することはなく、使用時の静粛性を高めることができる。
【００４７】
なお、一般にエアダンパ３２のほうがばね式ダンパ３３よりも衝撃緩和効果は高いが、その反面、コストが高くサイズが大きいために広い設置スペースを要する。本実施例ではこうした利点と欠点とを考慮してエアダンパ３２とばね式ダンパ３３とを併用しているが、衝撃緩和効果を重視すれば両方をエアダンパとしてもよく、コストやスペース性を重視すれば両方をばねとしてもよい。また、可能であれば複数設けずに１個のエアダンパ又はばね式ダンパとしてもよい。
【００４８】
さて、上述したように本実施例のドラム式洗濯機では、上蓋２が閉塞位置にあるときに蓋体２０にコイルばね３１による付勢力が作用しているから、上蓋２を閉鎖状態に保つにはこの付勢力に抗する何らかの手段が必要となる。これが本発明における保持手段であり、本実施例のドラム式洗濯機では、外箱１の内部、詳しくは上面板１ａの右前部内側に設置したラッチ／ロック機構４０と上蓋２に設けたフック２５との係合によってこのラッチ動作を達成している。
【００４９】
図９に示すように、蓋体２０の前縁右端には前方に突出してコの字状のフック２５が取り付けられており、一方、図４に示すように、上面板１ａの縁部１ａ１には上蓋２が閉塞位置にあるときに上記フック２５が当設する位置に係合穴１ａ２が形成され、係合穴１ａ２にはラッチ／ロック機構４０の当接片５０ｃが覗いている。
【００５０】
ラッチ／ロック機構４０は、操作パネル５の最も手前に設けられた蓋開ボタン４１と、蓋開ボタン４１の押圧に連動して手前上方に所定量だけ回動するレバー板４２と、軸４４ａを中心に回転自在である回転カム４４と、レバー板４２に一端が固定され、他端が回転カム４４の平坦面に立設された第１ピン４４ｂに固定されたワイヤ４３と、左右方向に進退可能な作動棒４５ａを有する電磁ソレノイド４５と、ばね４７との協働により作動棒４５ａの進出（又は後退）動作毎に左右方向に２つの位置をとり得るハートカム４６と、回転カム４４の周縁部に立設された第２ピン４４ｃに係合して左右方向に移動可能なスライドカム４８と、図示しないケースにより右端面の位置が規制され、スライドカム４８を左方向に付勢する第１ばね４９と、回転軸５０ａを中心に回転自在であって当接片５０ｃと係合片５０ｂとを有するラッチ部材５０と、ラッチ部材５０を右方から見たときに時計回り方向に付勢する第２ばね５１と、を含んで構成されている。
【００５１】
上蓋２が開放した状態であるときには、図１０に示すように、ラッチ部材５０は第２ばね５１の付勢力によって時計回り方向（右側面から見た状態）に最大に回転した位置にあり、スライドカム４８は第１ばね４９の付勢力によってその左端面がラッチ部材５０に当接して押し付けられている。回転カム４４は第１ピン４４ｂを介して反時計回り方向（正面から見た状態）に最大に回転した位置にあり、第１ピン４４ｂは相対的に上に位置しているためワイヤ４３は緩んだ状態にある。また、ハートカム４６は第１ピン４４ｂと干渉しない、第１ピン４４ｂよりも左方に位置している。このような状態では、上述したようにラッチ部材５０の当接片５０ｃが係合穴１ａ２を通して覗ける位置にある。
【００５２】
上記状態から使用者が上蓋２を閉めようとして上蓋２を閉塞位置まで押し下げると、上蓋２のフック２５が係合穴１ａ２に挿入され、フック２５の前端がラッチ部材５０の当接片５０ｃに当たってこれを押し下げる。ラッチ部材５０は第２ばね５１の付勢力に抗して反時計回り方向に回動するから、スライドカム４８に対する制止が解除されるため、第１ばね４９の付勢力によってスライドカム４８は左方向に移動する。ラッチ部材５０が反時計回り方向に最大限回動した状態では係合片５０ｂがフック２５の内側開口に挿入され、しかも当接片５０ｃの上部にスライドカム４８の左端部４８ａが進出してラッチ部材５０の時計回り方向の戻り回動も阻止される。回転カム４４は第１ピン４４ｂを介して時計回り方向に最大に回転した位置にあり、第１ピン４４ｂは相対的に下の位置にあってワイヤ４３は張った状態にある。
【００５３】
このときの状態が図１１に示す状態であり、本明細書で言うところの、上蓋２がラッチされた状態である。この状態ではラッチ部材５０の係合片５０ｂによってフック２５が係合穴１ａ２から抜けないため、使用者が例えば把手３を摘んで上蓋２を強制的に開けようとしても開放は阻止される。
【００５４】
上蓋２を開けたい場合には、使用者は蓋開ボタン４１を押す。すると、この押圧に応じてレバー板４２は上昇し、ワイヤ４３を上方に牽引する。これによって回転カム４４は反時計回り方向に回転し、第２ピン４４ｃを介してスライドカム４８を右方向に移動させる。これによってスライドカム４８の左端部４８ａは当接片５０ｃの上から後退するため、使用者が上蓋２を閉鎖するように強制的な力を加えていない状態であれば、ラッチ部材５０は第２ばね５１の付勢力によって時計回り方向に回転し係合片５０ｂがフック２５から外れる。これによって上蓋２を閉塞位置に保持する力が解除されるため、上述したようにばね３１の付勢力によって上蓋２は自発的に、つまり使用者が把手３を摘んで引き上げたりすることなく適度な速度で開放する。
【００５５】
洗濯及び乾燥運転の実行中でない場合、すなわち洗濯開始前、洗濯終了後、及び一時停止時等には、上述したように蓋開ボタン４１を押すと速やかに上蓋２が開くことになるが、例えば洗濯運転中に蓋開ボタン４１が押されてすぐに上蓋２が開いてしまうと安全性の点で問題がある。そこで、洗濯運転中などには、上述したように上蓋２をラッチするのみならず、仮に蓋開ボタン４１が押されても上蓋２が開かないように施錠を行う、つまりロックを掛ける。
【００５６】
すなわち、図１１に示したように上蓋２が閉塞位置にあってラッチされた状態において、洗濯運転が開始されたり一時停止状態が解除されて運転が再開されたりすると、図示しない制御回路より電磁ソレノイド４５に通電が行われ、この通電によって作動棒４５ａが進出（又は後退）する。上述したようにハートカム４６は電磁ソレノイド４５の作動毎に左方位置と右方位置との間を往動又は復動するから、このときにはハートカム４６は左方位置から右方方向にスライド移動し、ちょうど第１ピン４４ｂの上方に来る。このときの状態が図１２に示す状態である。
【００５７】
このとき回転カム４４は時計回り方向に最大限回転した位置にあり、第１ピン４４ｂは最も下方位置に存在するが、ハートカム４６はその第１ピン４４ｂの直上に進出するため、第１ピン４４ｂが上方に移動するのを妨げ得る。すなわち、この状態では使用者が蓋開ボタン４１を押し込み、それに応じてワイヤ４３が第１ピン４４ｂを引き上げるべく牽引しようとしても、第１ピン４４ｂはハートカム４６に妨害されて上昇せず、回転カム４４は反時計回り方向には回転しない。そのためスライドカム４８の左端部４８ａはラッチ部材５０の当接片５０ｃと干渉した状態を維持し、ラッチ部材５０が回転しないために上蓋２は開かない。
【００５８】
本実施例のドラム式洗濯機では、機械式の機構により上蓋２を閉塞状態に保持しており、使用者が蓋開ボタン４１を押すことによってラッチが解除されると、主として上述したコイルばね３１の付勢力によって上蓋２は開き始め、この付勢力と２個の重錘２１、２２に作用する重力とのバランスによって、上蓋２は小さな速度変化で以て、つまり一定速度に近い速度で以て円滑に開放する。そして、全開状態の手前ではエアダンパ３２とばね式ダンパ３３とによって衝撃が緩和され、上蓋２は大きな衝撃音を発することなく全開位置で停止する。このようにして、大きな操作力を要することなく上蓋２を円滑に開放させることができる。
【００５９】
こうして全開位置にある上蓋２を閉鎖する際には、使用者は把手３に指を掛けて手前へ引く。こうした閉鎖操作の当初には、２個の重錘２１、２２をいずれも引き上げる必要があるため少し力を要するが、第２重錘２２が下垂ガイド３５を越えると該重錘２２に作用する重力は操作力にとって大きな抗力ではなくなる。さらにコイルばね３１の付勢力に抗して上蓋２を手前に引く必要がある時点では、下垂範囲Ｌに入っている蓋体２０の長さはかなり短くなっているので、閉鎖のための操作力も小さくて済む。そして、使用者が上蓋２を閉塞位置まで引くと、ラッチ／ロック機構４０により上蓋２が直ちにラッチされて、使用者が手を離しても上蓋２は閉塞位置に保持される。このようにして、使用者はそれほど大きな力を要することなく上蓋２を閉鎖することができる。
【００６０】
次に本発明の他の実施例（第２実施例）によるドラム式洗濯機について、図１３〜図１８を参照して説明する。なお、第１実施例と同じ構成要素については同じ符号を付して説明を省略する。図１３は第２実施例のドラム式洗濯機において上蓋閉鎖時の状態を示す要部の側面断面図、図１４は上蓋開放時の状態を示す要部の側面断面図、図１５は第２実施例のドラム式洗濯機の外観正面図、図１６は上蓋の後端部の側面図、図１７は上蓋の後端部の背面図、図１８は上蓋を開放方向に付勢するコイルばねの下端取付部付近の斜視図である。
【００６１】
上記第１実施例のドラム式洗濯機では、上蓋２が閉塞位置から全開位置に至るまでの開放動作を自動で行うために、主として、上面板１ａ上に左右方向に架設されたコイルばね３１による付勢力と蓋体２０に内蔵された２個の重錘２１、２２による自重とが利用されていた。これに対し、この第２実施例のドラム式洗濯機では、図１３に示すように、外槽１１の後面と外箱１の後面板１ｄ内面との間の間隙に垂下する上蓋２の後端を略鉛直下方に引張るコイルばね７０を本発明における弾性手段として設け、主としてこのコイルばね７０の付勢力によって上蓋２の自動的な開放動作を達成している。
【００６２】
具体的な構成を説明する。上蓋２は、多数のスラットが連結された蓋体２０と、前縁端が把手３に固着され、蓋体２０の上面を被覆するように設けられた化粧シート２７とを含む。蓋体２０は円滑に屈曲するように可撓性を有する材料から形成する必要があり、ここでは軟質性塩化ビニル樹脂を材料とする成形品である。一方、化粧シート２７は強靱性が要求されるため、ここではポリエチレンテレフタレート樹脂（ＰＥＴ）が使用される。図１３に示すように上蓋２が閉鎖された状態で上蓋２の後端は下垂しているが、図１６に示す如く、その後端では蓋体２０の最後端よりも化粧シート２７が延出しており、その化粧シート２７の縁端で左右方向の略中央には、ポリプロピレン樹脂製の取付板６０が化粧シート２７を前後から挟んだ状態で３個のリベット６１により固定されている。
【００６３】
図１６、図１７に示すように、後面板１ｄに向いた取付板６０には、略Ｖ字状に屈曲されたＶ字型ワイヤ６４の両端に固着された丸型圧着端子６２がそれぞれリベット６３で固定されている。このＶ字型ワイヤ６４には着脱容易なナスカン６５を介して、ワイヤ６７の一端に固着された丸型圧着端子６６が固定されている。図１８に示すように、ワイヤ６７の他端に固着された丸型圧着端子６８には、コイルばね７０の一端のフックが掛着され、コイルばね７０の他端のフックは頑強な脚台９に形成された取付片７３に掛着されている。図１３に示すように上蓋２が閉鎖位置に在るとき、化粧シート２７はワイヤ６７を介してコイルばね７０を引き伸ばしており、コイルばね７０はほぼ鉛直方向に起立して伸長され、ワイヤ６７もほぼ鉛直方向に張っている。換言すれば、伸張したコイルばね７０はワイヤ６７を介して化粧シート２７、つまりは上蓋２に開放方向に向かう付勢力を付与している。
【００６４】
また、脚台９上には後面板１ｄの内面との間でコイルばね７０を取り囲むように、ポリプロピレン樹脂製のばね仕切壁７１が本発明におけるばねの姿勢保持部として取り付けられている。また、ばね仕切壁７１の内面全体からその上縁端を被覆して外面の一部まで折り返すように本発明における緩衝部材として不織布７２が貼着されており、さらに後面板１ｄの内面にも、コイルばね７０の横方向の移動範囲及び最大伸長時の高さをカバーするように同じ不織布７２が貼着されている。ばね仕切壁７１はコイルばね７０が縮んだときにばね７０が倒れ込まないように保持する機能を提供するものであり、不織布７２はコイルばね７０が後面板１ｄやばね仕切壁７１に接触した際に衝突音や摩擦音が発生することを防止するためのものである。
【００６５】
本実施例のドラム式洗濯機における、上蓋２の開閉時の動作について説明する。図１３に示すように上蓋２が閉塞位置にあるときには上述した如く上蓋２はラッチ／ロック機構４０によりラッチされており、これによってコイルばね７０による付勢力に抗して閉鎖位置に留まっている。このとき、コイルばね７０による付勢力は化粧シート２７の左右方向に略中央に固着された取付板６０に加わるので、上蓋２の後方への引張りの左右のバランスがほぼ均等になる。それによって、上蓋２の前縁端の隙間がほぼ均一になり、見栄えが良好である。
【００６６】
使用者が蓋開ボタン４１を押してラッチ／ロック機構４０による上蓋２のラッチが解除されると、コイルばね７０の付勢力によって上蓋２は自ら開放方向にスライド移動し始める。このとき、コイルばね７０はワイヤ６７を介して蓋体２０ではなく化粧シート２７の後端を引張るので化粧シート２７に張力を与え、上蓋２のスライド移動時に化粧シート２７が波打つことを防止して蓋体２０上面に良好に密着する。上蓋２がスライド移動する際に化粧シート２７が波打つと、案内レール３４や下垂ガイド３５などとの摩擦が大きくなって、開放動作に余分な力を必要とする。これに対し、上記構成のように化粧シート２７を引張って波打ちを軽減することにより、開放時の力を約１０％程度減らすことができる。それによって、上蓋２の開放がスムーズで、その開放速度も速くすることができる。
【００６７】
なお、蓋体２０ではなく化粧シート２７自体を引張るようにすることで別の利点もある。すなわち、上述したように蓋体２０は軟質塩化ビニル樹脂から形成されており、この材料の耐熱温度は８０℃程度と低い。上蓋２の閉鎖時には上蓋２には常にコイルばね７０による引張力が掛かっており、乾燥運転時には上蓋２の温度もかなり上昇する。そのため、蓋体２０自体を引張るようにすると、蓋体２０に引張力が掛かった状態で温度が上昇し、特にワイヤ６７で引張られる取付板６０の付近で熱変形を生じるおそれがある。これに対し、ＰＥＴから形成される化粧シート２７の耐熱温度は１５０℃程度と蓋体２０の耐熱温度よりもかなり高いため、引張力が掛かった状態で温度が上昇しても熱変形が生じる可能性は殆どない。
【００６８】
また、上述のように上蓋２の左右方向の略中央が後方に引張られるため、上蓋２が開放する際に左右一方向に傾きにくく、それによっても案内レール３４や下垂ガイド３５などとの摩擦が大きくなることを回避でき、開放動作をスムーズに行うことができる。
【００６９】
上記のようにコイルばね７０の付勢力によって上蓋２が開放してゆくと、コイルばね７０は縮んでいって付勢力が徐々に減じてゆく。そして、上蓋２が或る程度まで開放すると、コイルばね７０は完全に縮んでその時点で上蓋２に与える付勢力は無くなる。但し、それ以前に付与された付勢力による勢いによって上蓋２はさらに開放方向に移動し得る。さらに、そのときには既に上蓋２のうちの半分以上の範囲が下垂範囲に入っており、それほど大きくはないものの上蓋２の自重に作用する重力も上蓋２を開放させる方向に働くため、ばね７０による付勢力が無くなっても上蓋２は円滑に開放し続ける。そして、ばね７０の付勢力に由来する上蓋２の開放方向への勢いが無くなると上蓋２は自重に作用する重力のみで開放し、その開放速度はそれ以前よりも遅くなる。但し、このときには既に上蓋２は殆ど全開の状態にあるため、全開状態に達した際に上蓋２をスムーズに停止させ、把手３が上面後部カバー１ｅの前縁部に当接する際に発生する衝撃音を抑制するには却って都合が良い。
【００７０】
上蓋２が全開したときには図１４に示す状態となり、コイルばね７０はばね仕切壁７１にもたれかかった状態で起立保持されており、ワイヤ６７は完全に緩んでばね仕切壁７１内に収容されたりその外側に垂れ下がった状態にある。この状態から上蓋２を閉める際には、使用者は把手３に指を掛けて手前に引く。その閉鎖動作の当初はコイルばね７０の付勢力は作用しないので、上蓋２は軽快に手前にスライド移動する。コイルばね７０の付勢力が作用し始めると、この付勢力に抗する力で以て上蓋２を手前に引く必要があるため若干重くなるが、それ以前に上蓋２を手前に引いていた勢いを利用して無理なく最前部まで引いて、ラッチ／ロック機構４０によるラッチを掛けることができる。このように上蓋２を閉鎖する手動操作の際にも、上記理由により、化粧シート２７が波立ちにくく且つ上蓋２は左右に傾きにくいので、案内レール３４や下垂ガイド３５などに対する大きな摩擦が生じず、スムーズに上蓋２を閉鎖することができる。
【００７１】
上記のような上蓋２の開閉動作の際に、コイルばね７０は傾いたり倒れ込んだりして後面板１ｄの内面やばね仕切壁７１に接触するが、その接触部分には不織布７２が貼られているため、大きな接触音を発生することがなく静粛性を損なうことがない。
【００７２】
また、上記構成では、取付板６０にあって後方側、つまり後面板１ｄに向く側にＶ字型ワイヤ６４、ナスカン６５等を設けているが、これによって取付板６０の前方側にそれらを設ける場合に比べて、ワイヤ６７の上下の丸型圧着端子６６、６８とその前方の外槽１１との距離を長く確保することができる。上蓋２が閉鎖状態であって洗濯運転の実行時には、外槽１１が大きく振動することがあるが、上記構成により、振動した外槽１１が丸型圧着端子６６、６８やナスカン６５等に接触しにくくなり、接触音の発生を軽減することができる。
【００７３】
さらにまた、取付板６０にあってＶ字型ワイヤ６４の下端が化粧シート２７の下縁端よりもはみ出さないようにすることで、ナスカン６５が外槽１１に近づく方向に移動することを防止している。それによって、ナスカン６５が外槽１１の補強リブ等に接触して接触音が発生することを防止するとともに、ナスカン６５が外槽１１の補強リブの凹凸に嵌り込んでしまって上蓋２の移動が途中で出来なくなるといった事態を回避することができる。
【００７４】
以上述べたように、第２実施例によるドラム式洗濯機によっても第１実施例によるドラム式洗濯機と同様に、使用者の負担を軽減して上蓋２をスムーズに開閉することができる。なお、上記構成では、コイルばね７０で化粧シート２７の左右方向の略中央の１箇所を引張るようにしていたが、引張力が化粧シート２７の左右方向の略中央に加わりさえすれば、複数箇所を同時に引張るように構成してもよい。
【００７５】
また、上記実施例はいずれも本発明の一例にすぎず、本発明の趣旨の範囲で適宜変更や修正を行えることは明らかである。
【００７６】
例えば弾性手段は上記構成に限らず他のばね、又は他の弾性体などを利用した各種の構成に変更することができる。また、上蓋を閉塞位置に保持する保持手段の構成についても同様である。また、上記実施例は本発明をドラム式洗濯機に適用した例であるが、渦巻き式洗濯機に本発明を適用しても同様の効果を奏することは当然である。
【図面の簡単な説明】
【００７７】
【図１】本発明の一実施例（第１実施例）によるドラム式洗濯機の外観正面図。
【図２】第１実施例のドラム式洗濯機の外観右側面図。
【図３】第１実施例のドラム式洗濯機の上部の外観斜視図。
【図４】第１実施例のドラム式洗濯機において後部上面カバーや上蓋などを取り外した状態の要部の外観上面図。
【図５】第１実施例のドラム式洗濯機において上蓋閉鎖時の状態を示す要部の斜視図。
【図６】第１実施例のドラム式洗濯機において上蓋開放時の状態を示す要部の斜視図。
【図７】第１実施例のドラム式洗濯機において上蓋閉鎖時の状態を示す要部の側面断面図。
【図８】第１実施例のドラム式洗濯機において上蓋開放時の状態を示す要部の側面断面図。
【図９】第１実施例のドラム式洗濯機における上蓋の前縁端部の外観斜視図。
【図１０】第１実施例のドラム式洗濯機において上蓋を閉鎖状態に保持するためのラッチ／ロック機構の内部構成を示す斜視図。
【図１１】第１実施例のドラム式洗濯機において上蓋を閉鎖状態に保持するためのラッチ／ロック機構の内部構成を示す斜視図。
【図１２】第１実施例のドラム式洗濯機において上蓋を閉鎖状態に保持するためのラッチ／ロック機構の内部構成を示す斜視図。
【図１３】本発明の他の実施例（第２実施例）のドラム式洗濯機において上蓋閉鎖時の状態を示す要部の側面断面図。
【図１４】第２実施例のドラム式洗濯機において上蓋開放時の状態を示す要部の側面断面図。
【図１５】第２実施例のドラム式洗濯機の外観正面図。
【図１６】第２実施例のドラム式洗濯機における上蓋の後端部の側面図。
【図１７】第２実施例のドラム式洗濯機における上蓋の後端部の正面図。
【図１８】第２実施例のドラム式洗濯機において上蓋を開放方向に付勢するコイルばねの下端取付部付近の斜視図。
【符号の説明】
【００７８】
１…外箱
１ａ…上面板
１ａ２…係合穴
１ｅ…上面後部カバー
２…上蓋
２０…蓋体
２１…第１重錘
２２…第２重錘
２３…係合ピン
２４…当接リブ
２５…フック
２７…化粧シート
３…把手
４…洗濯物投入口
９…脚台
１０…ドラム
１１…外槽
３０…ばね固定部
３１、３１Ａ、３１Ｂ…ばね
３２…エアダンパ
３３…ばね式ダンパ
３４…案内レール
３５…下垂ガイド
４０…ラッチ／ロック機構
４１…蓋開ボタン
４２…レバー板
４３…ワイヤ
４４…回転カム
４４ａ…軸
４４ｂ…第１ピン
４４ｃ…第２ピン
４５…電磁ソレノイド
４５ａ…作動棒
４６…ハートカム
４７、４９、５１…ばね
４８…スライドカム
４８ａ…左端部
５０…ラッチ部材
５０ａ…回転軸
５０ｂ…係合片
５０ｃ…当接片
６０…取付板
６１、６３…リベット
６２、６６、６８…丸型圧着端子
６４…Ｖ字型ワイヤ
６５…ナスカン
６７…ワイヤ
７０…コイルばね
７１…ばね仕切壁
７２…不織布
７３…取付片
Ｌ…下垂範囲
【図１】
2005348923.tif 000003
【図２】
2005348923.tif 000004
【図３】
2005348923.tif 000005
【図４】
2005348923.tif 000006
【図５】
2005348923.tif 000007
【図６】
2005348923.tif 000008
【図７】
2005348923.tif 000009
【図８】
2005348923.tif 000010
【図９】
2005348923.tif 000011
【図１０】
2005348923.tif 000012
【図１１】
2005348923.tif 000013
【図１２】
2005348923.tif 000014
【図１３】
2005348923.tif 000015
【図１４】
2005348923.tif 000016
【図１５】
2005348923.tif 000017
【図１６】
2005348923.tif 000018
【図１７】
2005348923.tif 000019
【図１８】
2005348923.tif 000020